【手続補正書】
【提出日】平成17年1月13日(2005.1.13)
【手続補正１】
【補正対象書類名】明細書
【補正対象項目名】全文
【補正方法】変更
【補正の内容】
【書類名】      明細書
【発明の名称】  ミネラル浴用キット
【特許請求の範囲】
【請求項１】  ミネラルと、前記ミネラルを収容するための水浸透可能なバッグと、前記バッグを水容器の上方に吊るすための手段とから成ることを特徴とするミネラル浴用キット。
【請求項２】  前記バッグを吊るすための前記手段が、前記バッグに接続されたループおよび前記ループと係合のために吸着カップに接続されるフックを備えた吸着カップであることを特徴とする請求項１に記載のミネラル浴用キット。
【請求項３】  前記水浸透可能なバッグが、合成メッシュ材料から形成されることを特徴とする請求項２に記載のミネラル浴用キット。
【請求項４】  前記ミネラルが、石英、レピドライト、マイカを含むグループから選択されることを特徴とする請求項３に記載のミネラル浴用キット。
【請求項５】  装飾携帯ケースと組み合わされたことを特徴とする請求項１に記載のミネラル浴用キット。
【請求項６】  前記携帯ケースが複数の仕切り室に分割されていることを特徴とする請求項５に記載のミネラル浴用キットと装飾携帯ケースとの組み合わせ。
【請求項７】  前記携帯ケースがオベリスクの形状にあることを特徴とする請求項５に記載のキットと装飾携帯ケースの組み合わせ。
【請求項８】  前記携帯ケースが壜でありかつ前記水浸透可能なバッグが収縮包装材料によって前記壜の外側に取着されることを特徴とする請求項５に記載のキットと装飾支持ケースの組み合わせ。
【請求項９】  前記携帯ケースがチェストであることを特徴とする請求項５に記載のキットと装飾携帯ケースの組み合わせ。
【請求項１０】  前記装飾携帯ケースが蓋を備えたバスケットであることを特徴とする請求項５に記載のキットと装飾携帯ケースの組み合わせ。
【請求項１１】  前記装飾携帯ケースがバッグであることを特徴とする請求項５に記載のキットと装飾携帯ケースの組み合わせ。
【請求項１２】  前記携帯ケースが木製の箱であることを特徴とする請求項５に記載のキットと装飾携帯ケースの組み合わせ。
【請求項１３】  前記携帯ケースが内部の、長手方向仕切り壁を備えた筒状のキャニスターであることを特徴とする請求項５に記載のキットと装飾携帯ケースの組み合わせ。
【請求項１４】  前記水浸透可能なバッグがパイル織物から形成されることを特徴とする請求項１に記載のミネラル浴用キット。
【請求項１５】  前記水浸透可能なバッグがテリークロスから形成されることを特徴とする請求項１４に記載のミネラル浴用キット。
【請求項１６】  ミネラルと、外面に接続されたループおよび該ミネラルが挿入可能な開口を有しかつ該開口を閉止して該ミネラルを内部に保持するための手段を備えた水浸透可能なバッグから成ることを特徴とする浴用製品。
【請求項１７】  前記開口を閉止するための前記手段が前記開口の第１側に沿って前記バッグに接続されるフック材料および開口で閉止を許容するように前記開口の第２側に沿って前記バッグに接続されるループ材料からなることを特徴とする請求項１６に記載の浴用製品。
【請求項１８】  さらに、吸着カップおよび前記吸着カップに接続されるフックを含み、前記フックが前記ループに取り外し可能に接続されることを特徴とする請求項１６に記載の浴用製品。
【請求項１９】  前記水浸透可能なバッグが合成メッシュ材料から作られることを特徴とする請求項１８に記載の浴用製品。
【請求項２０】  前記水浸透可能なバッグがパイル織物から作られることを特徴とする請求項１８に記載の浴用製品。
【請求項２１】  チップ或いは微小塊に成形されたミネラルと、前記ミネラルを収納している水浸透可能なバッグとで構成され、該ミネラルが水溶性の治癒作用元素を含んでおり、前記ミネラルが該バッグ内に収納されて水中に浸漬されると、治癒作用元素が水に滲出される浴用製品であって、
前記ミネラルが、該バッグを複数回水中に浸漬した後にもバッグ内に残る天然由来鉱物であることを特徴とする浴用製品。
【請求項２２】  チップ或いは微小塊で形成されたミネラルと、前記ミネラルを収納している水浸透可能なバッグとで構成され、該ミネラルが水溶性の治癒効果を有する成分を含んでおり、前記ミネラルが該バッグ内に収納されて水中に浸漬されると、前記治癒作用を有する元素が水に滲出される浴用製品であって、
前記水浸透可能なバッグが、反復使用可能でかつ前記ミネラルを出し入れするための開封及び再閉止可能な開口を備えた端縁を備えていることを特徴とする浴用製品。
【請求項２３】  前記水浸透可能なバッグを複数回水中に浸漬した後にミネラルの結晶が残ることを特徴とする請求項２２に記載された浴用製品。
【請求項２４】  チップ或いは微小塊に成形されたミネラルと、該ミネラルを収納するための反復使用可能な前記ミネラルを出し入れするための開封及び再閉止可能な開口を端縁に設けた水浸透可能なバッグとで構成されるミネラル浴用キットであって、
前記ミネラルが、前記ミネラルが該バッグ内に収納されて水中に浸漬されると滲出される水溶性の治癒作用を有する元素を含んでおり、前記バッグを複数回水中に浸漬した後に該バッグ内にミネラルの結晶が残ることを特徴とするミネラル浴用キット。
【発明の詳細な説明】
【０００１】
【技術分野】
本発明は、水浸透可能なバッグおよびこのバッグ内に収容される自然に発生するミネラルを含んでいる浴用製品に関する。ミネラルを収容しているバッグが水中に置かれるとき、人体に治癒作用を有する元素が水浸透可能なバッグを通ってミネラルから滲出される。
【０００２】
【発明の背景】
ミネラル塩および浴用石鹸は、浴槽の湯が注がれるかまたは風呂に入るときに使用のために浴用タオルに塗られるような粒状または液体状に加工されている。かかる通常の入浴添加剤は一度だけ使用され、その後バスの入浴の完了後排水設備を通して下水道に排出される。バスソルトおよびバブルバス溶液のごとき通常の入浴添加剤は、偶発的に所定量より多量に浴槽の湯に添加され易い。かかる事態に対処するために、より多くの水が添加剤を希釈するために注入したり、注入し過ぎた湯をバスタブから排水する等の事態を招き、水および添加剤を浪費する結果となる。余りにも多量のバス添加剤の添加は多量の湯水を必要としかつバクテリアまたは菌類の成長を回避するために、とくに水中の添加剤の精密な制御を必要とする温泉または他の水浴容器より大きな問題を生ずる。
【０００３】
通常のバス添加剤は、また、天然鉱泉に治癒的元素を添加する自然の方法を再現しない。事実上、元素は温水がミネラル上に流れるとき自然に発生するミネラルから徐々に染み出される。通常のバス添加剤は、一般に、バス添加剤の新鮮さを保持しかつバス添加剤に芳香および色を添加するごとき目的のために多数の人工の化学品を含んでいる。しばしば、かかる人工の化学品に対する人体の継続的露出による潜在的な副作用を生ずるということが完全に理解されず、そして敏感な皮膚を有する人間はかかる製品への拒否反応を体験することもある。
【０００４】
【発明の開示】
本発明は上記の状況に鑑みてなされかつ自然に発生するミネラルおよびそれらが含有する治癒的元素を入浴に使用される湯水に接触させる審美的に満足なかつ経済的な手段を提供することを目的として有している。
【０００５】
本発明の他の目的は反復使用することができかつバスルームまたは温泉の装飾に魅力的な適合を設ける浴用製品を提供することにある。
【０００６】
本発明のさらに他の目的は温水と接触して天然由来のミネラル（鉱物）から治癒的作用を有する所望の元素をゆっくり染み出す自然の方法を再現することにある。
【０００７】
かかる目的を達成するためにかつ本発明の目的によれば、具体化されかつここで広く説明されるように、本発明は、装飾的な水浸透可能なバッグと組み合わせてキットに設けられた地表から採掘された自然由来のミネラルを有するミネラル浴剤からなっている。かかるミネラルを使用したキットは、また、浴槽または温泉中の温水と接触してミネラルで充填されるときバッグを吊り下げるように使用され得るかまたは使用後乾燥するためにバッグを吊るすのに使用され得るハンガーを含んでいる。
【０００８】
本発明は、さらに、バッグに接続されるループを有している水浸透可能なバッグを含んでおり、ハンガーは水容器の上方に水浸透バッグを吊り下げるための吸着カップまたは他の一時的なまたは永続的な手段に接続されたフックの形になっている。
【０００９】
１実施例において、水浸透可能なバッグはこのバッグの外面に接続されるループを備え、そして前記バッグはミネラルがそれを通ってバッグに挿入される開口を有している。バッグの開口は、商標名「ベルクロ（ＶＥＬＣＲＯ）」により販売されるファスナ製品のごとき、フックおよびループ型閉止体、または商標ジップロック（ＺＩＰＬＯＣ）により販売される密封体製品のごとき、リブおよびトラフ型閉止体を使用してミネラルがバッグ内に置かれた後閉じられ得る。
【００１０】
他の好適な実施例において、ミネラル、水浸透可能なバッグ、およびこのバッグを吊るすための手段を含んでいるキットが装飾携帯ケースと組み合わせて設けられる。装飾携帯ケースは種々の内部仕切り室に分割される木製の箱、オベリスク形状の容器、収納箱形状の容器、蓋付きの木製のバスケット、または魅力的な配置において浴用キットの種々の構成要素を収納するように設計された他の装飾容器のごとき種々の形状を取ることができる。
【００１１】
理解されることは、前記の一般的な説明および以下の詳細な説明の両方が例示かつ説明的のみでありそして請求されたように、本発明について限定しないということである。
【００１２】
本明細書に組み込まれかつ本明細書の１部分を構成する添付図面は本発明の実施例を示しかつ記載とともに、本発明の原理を説明するのに役立つ。
【００１３】
【発明を実施するための最良の形態】
次に、添付図面に示された本例示実施例を詳細に参照する。可能な限り、同一参照番号は図面を通して同一または同様な部分を参照するのに使用される。
【００１４】
図１は本発明の第１実施例を示している。図１の参照番号２０は本発明によるバッグ構造およびポーチ配置を総括的に示している。図１に描かれたバッグ構造はこれが開放位置にありかつミネラル６０で充填されているとき一般的に現れるように示されている。バッグ２０は前方パネル２２および後方パネル２４、底縁部２６、頂部縁部２８、第１側縁部２１、および第２の反対の側縁部２３を含んでいる。キャビティ２５が前方パネル２２と後方パネル２４との間のバッグ内に画成される。キャビティ２５の開口は頂部縁部２８の前方側２８ｂおよび後方側２８ｂの間に画成される。
【００１５】
図１に示した実施例において、キャビティ２５の開口は頂部縁部２８の側２８ａ，２８ｂを一緒にしかつそれらを頂部縁部２８背全体に沿って接合することによって閉止される。商標名「ベルクロ（ＶＥＬＣＲＯ）」により販売されるファスナおよびループ型固定材料の帯片が、固定材料の２つの対抗する帯片が一緒にされるとき、キャビティ２５の開口が密封して閉じられるように頂部縁部２８の側２８ａ，２８ｂに沿って縫合され得る。
【００１６】
バッグ２０の側パネル２２，２４を作成する材料は、水耕法に使用されるごとき合成メッシュ材料およびテリークロスのごときパイル織物材料を包含するがそれに限定されない多数の水浸透可能な材料のいずれかから選択され得る。船積みおよび貯蔵の間中ミネラル６０の新鮮さ維持するために、ミネラル６０は浴用キットが使用に備えられるまで気密および水密のバッグ（図示せず）内に設けられることができる。浴用キットが使用に備えられるとき、ミネラル６０は気密および水密バッグ（図示せず）から除去されかつバッグ２０のキャビティ２５に置かれる。バッグ２０の頂部縁部２８はその場合に側２８ａ，２８ｂを一緒にしかつそれらをフックおよびループ型ファスナー２９または商標ジップロック（ＺＩＰＬＯＣ）により販売されるリブおよびトラフ型閉止体のごとき他の閉止体を使用して接合することによって密封して閉止される。
【００１７】
ループ３０は、図１に示されるように、バッグ２０の外面に縫合されるかまたは他の方法で接合され得る。ループ３０は、バッグ２０がそれによって容易に取り扱われる得るかまたはミネラル６０で充填されたバッグ２０が水と接触して垂れ下がるかまたは使用後乾燥のために空気に曝されて垂れ下がるように水容器の上方に吊り下げられ得る手段を備えている。
【００１８】
図１に示した本発明の第１実施例による浴用キットは、さらに、吸い込みカップ４０を含み、吸着カップ４０の一端４２がフック５０の受容用の貫通孔４３を有している。フック５０の一端５２は、フック５０が１方向にのみ孔４３を通って引っ張られ得るように孔４３より大きい直径を有している球の形状に形成され得る。フック５０の端部５２は、バッグ２０がフックからループによって吊り下げられるときフックが孔４３から落ちるのを阻止している。端部５２から反対のフック５０の端部５４は水浸透可能なバッグ２０のループ３０によって通されることができかつ吸着カップ４０は水容器上の使い易い面に対して押圧され得る。吸着カップ４０はポリエチレンのごとき種々の柔軟な、エラストマー材料のいずれかから形成される。
【００１９】
図１に示された第１実施例は側パネル２２，２４から形状において実質上矩形に形成された水浸透可能なバッグ２０を有するけれども、代替の実施例は図２に示される筒状のバッグ１２０および図３に示される球状バッグ２２０のごとき種々の形状を包含することができる。水浸透可能なバッグは水浸透可能な材料からなる１またはそれ以上のパネルから形成され得る。
【００２０】
図３に示した実施例において、水浸透可能なバッグ２２０はテリークロスのごときパイル織物型材料から形成されかつシャワーまたは入浴の間中身体を石鹸で洗うのに使用される前にミネラルで充填される。
【００２１】
図１に示されたバッグ２０中のミネラル６０のごとく、水浸透可能なバッグを充填するのに使用されるミネラルは、好ましくは、石英、レピドライト（紅雲母）、マイカ、およびそれらが独特な、補強された幾何学的配置において成長するように集められた他の結晶から作られるチップまたは小さい岩石の形状である。これら自然に発生するミネラルは温水と接触してミネラルから染み出され得る２５以上の個々の元素を含み、疲れた筋肉をリラックスさせ、眠りを高め、安らぎを促進しかつストレスの作用を除去するごとき治癒的作用を有するミネラルバスを提供する。これらの所望の治癒的元素の染み出しは、バッグ２０がミネラル６０で充填され、密封して閉じられかつ温水と接触して置かれるとき水浸透可能なバッグ２０を通して自然に発生する。ミネラル６０および水浸透可能なバッグ２０は一般に多数回かつ好ましくは、自然に発生する元素のすべてがそれらから染み出される前に、少なくとも２０回再使用され得る。所望の元素のすべてがミネラル６０から染み出された後、魅力的な結晶が残りかつ装飾的な目的で使用されることができる。
【００２２】
ミネラル６０の使用後に残っている結晶の審美的価値に加えて、水浸透可能なバッグ２０は浴用キットが使用されるバスルームの装飾と適合した装飾的モチーフを備えることが可能である。
【００２３】
図４は、ガラスまたはプラスチツクから作られかつミネラル６０で充填された後コーク１０２およびワックスシール１０４を備え、かくしてミネラルを保持するために気密および水密の容器を作っている透明な壜の形の装飾携帯ケース１００を示している。水浸透可能なバッグ２０は収縮包装材料を使用して壜１００の外周のまわりに取着され得る。
【００２４】
図５は、木製または他の木製状材料から作られた箱の形の装飾携帯するケース２００のさらに他の実施例を示している。透明なガラスまたはプレキシガラスカバー２０２が箱２００の頂部の上に設けられことができかつ内部仕切り壁２０４が箱２００を仕切り室に分離する。ミネラル６０は１つの仕切り室に置かれかつ巻き上げられた水浸透可能なバッグ２０は第２の仕切り室に置かれ得る。
【００２５】
図６は、本発明によるミネラル浴用キット用の装飾携帯ケースの他の実施例を示しており、装飾携帯ケース３００はオベリスクの形状になっている。
【００２６】
図７Ａおよび図７Ｂは、本発明によるミネラル浴用キットを搬送するための装飾携帯ケース４００の他の実施例を示している。
【００２７】
図８は、本発明のミネラル浴用キットを搬送するためのアメリカインディアンのバスケットの形の装飾携帯ケース５００を示している。
【００２８】
図９は、簡単なバッグの形の装飾携帯ケース６００を示している。
【００２９】
図１０は、本発明のミネラル浴用キットを支持するための装飾的な携帯ケース７００の他の実施例を示している。
【００３０】
図１１Ａないし図１１Ｃは、筒状キャニスタの形状において装飾的携帯ケース８００を示している。筒状キャニスタは、ミネラル６０、所望ならば、バスソルトのごとき他の製品、および水浸透可能なバッグ２０を収納するための仕切り室にキャニスタを区分けする内部の、長手方向に延びる仕切り壁８１０を備えることができる。
【００３１】
図１２は、本発明のミネラル浴用キットを搬送するための他の装飾携帯（携帯用の装飾を施した）ケース９００を示している。
【００３２】
ミネラル浴用キット用の装飾携帯ケースのさらに他の実施例が図１３Ａおよび図１３Ｂに示されている。図１３Ａおよび図１３Ｂに示された装飾ケース９５０はミネラルの密封されたガラスジャーおよび本発明の実施例による水浸透可能なバッグおよびハンガーを収容するパッド付きブロケード（クッションを張った錦織り）箱の形することができる。
【００３３】
種々の変更および変化が本発明の範囲または精神から逸脱することなくなされ得ることは当該技術に熟練した者には明らかである。本発明の他の実施例はここに開示された本発明の明細書および慣用例の検討から当該技術に熟練した者には明らかである。明細書および例は例示としてのみ検討されるのに向けられ、本発明の本当の範囲および精神は請求項に示されている。
【図面の簡単な説明】
【図１】
本発明の第１の実施例によるミネラル浴用キットを示す図である。
【図２】
本発明によるミネラル浴用キットの第２の実施例を示す図である。
【図３】
本発明によるミネラル浴用キットの第３の実施例を示す図である。
【図４】
装飾携帯ケースの第１実施例と組み合わせた本発明によるミネラル浴用キットを示す図である。
【図５】
本発明によるミネラル浴用キットと組み合わせた装飾携帯ケースの第２実施例を示す図である。
【図６】
装飾携帯ケースの第３実施例を示す図である。
【図７Ａ】
開放位置において装飾携帯ケースの第４実施例を示す図である。
【図７Ｂ】
閉止位置において図７Ａの携帯ケースを示す図である。
【図８】
本発明によるミネラル浴用キットにより使用されるような装飾携帯ケースの第５実施例を示す図である。
【図９】
本発明によるミネラル浴用キットにより使用されるような装飾携帯ケースの第６実施例を示す図である。
【図１０】
本発明によるミネラル浴用キットにより使用されるような装飾携帯ケースの第７実施例を示す図である。
【図１１Ａ】
本発明によるミネラル浴用キットにより使用されるような装飾携帯ケースの第８実施例を示す図である。
【図１１Ｂ】
図１１Ａの装飾携帯ケースを説明する部分図である。
【図１１Ｃ】
図１１Ａの装飾携帯ケースを説明する部分図である。
【図１２】
装飾携帯ケースの第９実施例を示す図である。
【図１３Ａ】
閉止位置において装飾携帯ケースの第１０実施例を示す図である。
【図１３Ｂ】
開放位置において図１３Ａの携帯ケースを示す図である。